(57)【要約】【課題】画像形成装置の給紙トレイ１０において、シート材Ａの押し出し力が不足することがなく、円滑にシート材Ａを給紙コロ２へと押し当て、安定した給紙を行う。また、シート材Ａの積載量が少なくってもシート材Ａが湾曲するなどの不具合を抑制する。【解決手段】エンドフェンス６に２つの加圧板７，８を設け、加圧板７は直接エンドフェンス６に設けた弾性部材７１で加圧し、加圧板８は加圧板７との間に設けた弾性部材８１により加圧する。加圧板７，８で底板３上のシート材をシート材先端規制部材５側に押圧する。加圧板７の回動位置により加圧板８の加圧力を変動させる。加圧板７がシート材Ａと接触しない状態となると、加圧板８ととともに弾性部材８１を保持している加圧板７が回動するようにする。加圧板８を加圧する弾性部材８１の加圧力を低下させ、加圧板８がシート材Ａを加圧する加圧力を弱くする。【選択図】図２
2010202378.tif 000002
【特許請求の範囲】
【請求項１】
支点を中心に回動する底板上にシート材を積み重ねて載置し、積載されたシート材の幅方向を位置規制するサイドフェンスと、積載されたシート材の後端部を位置規制するエンドフェンスに設けられ、シート材後端部の上方を加圧する加圧板と、シート材後端部の下方を加圧する加圧板とによってシート材の後端位置を規制し、底板の回動によりシート材を持ち上げて最上部のシート材を画像形成装置に設けられた給紙コロに所定の圧力で圧接させ順次送出する給紙トレイにおいて、
前記エンドフェンスに給紙トレイ内に積載されたシート材後端を加圧する加圧板を複数設け、一方の加圧板を加圧する弾性部材はエンドフェンスに保持され、他方の加圧板を加圧する弾性部材はもう一方の加圧板に対し保持されていることを特徴とする給紙トレイ。
【請求項２】
請求項１に記載の給紙トレイであって、前記エンドフェンスに複数設けられた加圧板は、エンドフェンスに対して回動自在に保持されていることを特徴とする給紙トレイ。
【請求項３】
請求項１に記載の給紙トレイであって、前記エンドフェンスに複数設けられた加圧板のうち一方は、回動支点をシート材積載最大高さの半分の高さに設けたことを特徴とする給紙トレイ。
【請求項４】
給紙トレイからシート材を画像形成手段に給紙して該シート材に画像を形成する画像形成装置において、上記給紙トレイとして、請求項１乃至請求項３のうちいずれか一項に記載の給紙トレイを備えたことを特徴とする画像形成装置。
【発明の詳細な説明】
【技術分野】
【０００１】
本発明は、複写機、プリンタ、ファクシミリ等の画像形成装置に装着される給紙トレイ及び画像形成装置に関するものである。
【背景技術】
【０００２】
従来、画像形成装置の給紙装置では、シート材をその先端および後端部を揃えて底板上に積載させている。また、シート材はスプリングなどの弾性力により底板とともに上方に押し上げられ，給紙コロと底板との間に挟まれた状態となる。そして、この状態で給紙コロが回転することで、底板上の最上位のシート材が送り出される。このときこのシート材の先端部が分離部で１枚毎に分離されることにより２枚目以下のシート材から分離され、シート材１枚毎に次行程へと搬送される。
【０００３】
しかしながら、上述の従来の給紙装置では、底板からシート材を順次送り出すに従い、シート材先端規制部材とシート材の先端部との間の間隔が徐々に広くなる。このため、シート材が少なくなるとシート材の先端部がシート材先端規制部材との間に挟まったり、最上位のシート材が給紙コロから離れてしまうなど、ミスフィードや重送が発生し易くなるという問題があった。これは底板上に大量のシート材が積載される大容量の給紙装置の場合に特に問題となっていた。
【０００４】
このため特開平９−６７０２８号公報(特許文献１)に開示されているように、エンドフェンスにシート材後端部を押圧する加圧板を設け、常にエンドフェンスの加圧板がシート材後端部を押し出し、シート材の先端部がシート材先端規制部材から離れないように構成したものがある。
【０００５】
また、特開２０００−９５３５６号公報（特許文献２）に開示されているように、シート材先端規制部材と積載されたシート材の先端との位置関係を常に一定とするため、シート材後端部をエンドフェンスに設けられた弾性圧による加圧機構を用い、さらに、シート材先端規制部を変形させることでエンドフェンスによる加圧機構のばらつきを吸収させるようにしたものがある。
【０００６】
また、特開２００２−８０１２８号公報（特許文献３）に開示されているように、底板の回動支点の位置をシート材積載量に合わせて昇降動作させることで底板の回転角度を抑制し、シート材先端規制部とエンドフェンスとの距離の変動を抑えることで、エンドフェンスのシート材後端部の加圧を不要としたものがある。
【発明の概要】
【発明が解決しようとする課題】
【０００７】
しかしながら、特許文献１のものでは、シート材積載作業時など、給紙トレイを画像形成装置から引き出した状態では、給紙トレイの底板は最下部で待機しているため、シート材の積載量にかかわらず積載されたシート材束の下部はエンドフェンスの加圧板によって押し出される。底板が最下部にある場合、想定されるシート材の積載量のうちもっとも重い状態でもエンドフェンスの加圧板はシート材束をシート材先端規制部材に対して押し出す必要があるため、底板が最下部にある状態で少ないシート材を載せた場合は、エンドフェンスの加圧板からの押し出し力が強すぎてしまい、シート材自体を湾曲させてしまうことがあった。シート材自体が湾曲してしまうと、シート材先端部をシート材先端規制部材へ動かすことが出来なくなり、給紙コロとシート材とが接触せず、シート材の不送りなどの不具合が発生してしまうことがある。
【０００８】
また、特許文献２のものでは、エンドフェンスの固定位置のばらつきなど、エンドフェンスに設けられた加圧機構によるシート材後端の押し上げ作用が十分に働かない状態では前述した不具合は解消されない。
【０００９】
また、特許文献３のものでは、底板上にシート材全体が積載されることになり、積載するシート材の重量全てを底板で受けることになる。このため、大きなサイズのシート材と小さなサイズのシート材では底板にかかるシート材の重量変動が大きくなり、底板の加圧により給紙コロへシート材を押し当て、給紙コロとシート材の摩擦によってシート材を給送する機構では給紙コロとシート材との圧力の変動も大きくなり、摩擦力不足による不送りなどの問題が起きやすい。
【００１０】
本発明は、前述の従来の不具合を解消しつつ、給紙トレイに積載されるシート材の量があらかじめ少ない状態でセットしても、エンドフェンスに設けられた２つの加圧板の連動動作によって、必要以上に加圧板がシート材を押し出すことがないようにし、給紙トレイに満載の状態でシート材をセットした場合は、２つの加圧板の押し出しによって、シート材先端をシート材先端規制部材へ隙間無く移動させることができ、シート材の押し出し力が不足することがないようにし、シート材の積載量にかかわらすシート材をシート材先端は給紙位置へ押し出すことにより、円滑にシート材を給紙コロへと押し当て、安定した給紙を行うことを課題とする。
【００１１】
さらに、給紙トレイにセットするシート材の積載量が少なくなると、エンドフェンスに設けられた加圧板の押圧力は低下しシート材が湾曲するなどの不具合を抑制することを課題とする。
【課題を解決するための手段】
【００１２】
請求項１の給紙トレイは、支点を中心に回動する底板上にシート材を積み重ねて載置し、積載されたシート材の幅方向を位置規制するサイドフェンスと、積載されたシート材の後端部を位置規制するエンドフェンスに設けられ、シート材後端部の上方を加圧する加圧板と、シート材後端部の下方を加圧する加圧板とによってシート材の後端位置を規制し、底板の回動によりシート材を持ち上げて最上部のシート材を画像形成装置に設けられた給紙コロに所定の圧力で圧接させ順次送出する給紙トレイにおいて、前記エンドフェンスに給紙トレイ内に積載されたシート材後端を加圧する加圧板を複数設け、一方の加圧板を加圧する弾性部材はエンドフェンスに保持され、他方の加圧板を加圧する弾性部材はもう一方の加圧板に対し保持されていることを特徴とする。
【００１３】
請求項２の給紙トレイは、請求項１に記載の給紙トレイであって、前記エンドフェンスに複数設けられた加圧板は、エンドフェンスに対して回動自在に保持されていることを特徴とする。
【００１４】
請求項３の給紙トレイは、請求項１に記載の給紙トレイであって、前記エンドフェンスに複数設けられた加圧板のうち一方は、回動支点をシート材積載最大高さの半分の高さに設けたことを特徴とする。
【００１５】
請求項４の画像形成装置は、給紙トレイからシート材を画像形成手段に給紙して該シート材に画像を形成する画像形成装置において、上記給紙トレイとして、請求項１乃至請求項３のうちいずれか一項に記載の給紙トレイを備えたことを特徴とする。
【００１６】
請求項１または請求項２の給紙トレイでは、給紙トレイに設けられシート材後端を位置規制するエンドフェンスにおいて、エンドフェンスに設けられエンドフェンス上に例えば回動保持された２つの加圧板のうち一方は、エンドフェンスに保持された弾性部材により加圧力を受け、またもう一方の加圧板は２つの加圧板に挟まれる状態で保持された弾性部材によって加圧力を受ける。よって、一方の加圧板は直接エンドフェンスに設けられた弾性部材から加圧を受けるが、もう一方の加圧板は加圧を受ける弾性部材が２つの加圧板に挟まれて保持されているため、エンドフェンスに設けられた弾性部材から加圧を受ける加圧板の回動位置によりもう一方の加圧板の加圧力が変動する。このとき、エンドフェンスに保持された弾性部材から加圧をうける加圧板がシート材と接触しない状態にあり、もう一方の加圧板と弾性部材を保持している面が離れている場合は、もう一方の加圧板を加圧する弾性部材の加圧力は低下するため、もう一方の加圧板がシート材を加圧する加圧力も弱くなる。したがって、給紙トレイに積載されたシート材の増減によりエンドフェンスに保持された弾性部材から加圧を受ける加圧板とシート材とが接触する範囲を限定することで、もう一方の加圧板のシート材への加圧力は変動する。よって、シート材の積載量の変動にあわせてシート材後端への加圧力が調整され、シート材の積載量にかかわらすシート材先端は給紙位置へ押し出されるため円滑にシート材を給紙コロへと押し当て、安定した給紙を行うことができる。
【００１７】
請求項３の給紙トレイでは、エンドフェンスに設けられた２つの加圧板において、エンドフェンスに回動自在に保持された加圧板のうち一方の回動支点をシート材積載最大高さの半分の高さに設けることにより、積載されたシート材の積載量の減少によって回動支点より上方部分はシート材を押圧しなくなる。これにより、加圧板の上方が弾性部材の弾性力によりシート材側へ押し出され、加圧板の下方はシート材と反対方向へ回動する。これにより加圧板下方はシート材から離れ、加圧板下方に設けられた弾性部材もシート材から離れるため、この弾性部材によりシート材を押圧しているもう一方の加圧板のシート材に対する押圧力は弱くなる。これにより、給紙トレイにセットするシート材の積載量が少なくなると、エンドフェンスに設けられた加圧板の押圧力は低下しシート材が湾曲するなどの不具合を抑制することができる。
【発明の効果】
【００１８】
請求項１の給紙トレイによれば、給紙トレイに積載されたシート材の増減によりエンドフェンスに保持された弾性部材から加圧を受ける加圧板とシート材とが接触する範囲を限定することで、もう一方の加圧板のシート材への加圧力は変動するので、シート材の積載量の変動にあわせてシート材後端への加圧力が調整され、シート材の積載量にかかわらすシート材先端は給紙位置へ押し出されるため、シート材先端をシート材先端規制部材へ隙間無く移動させることができ、シート材の押し出し力が不足することがなく、円滑にシート材を給紙コロへと押し当て、安定した給紙を行うことができる。
【００１９】
請求項２の給紙トレイによれば、請求項１の効果に加えて、回動自在に保持された加圧板は回動支点回りに回動する構造であり、エンドフェンスの構造が簡単になる。
【００２０】
請求項３の給紙トレイによれば、請求項１の効果に加えて、給紙トレイにセットするシート材の積載量が少なくなると、エンドフェンスに設けられた加圧板の押圧力は低下しシート材が湾曲するなどの不具合を抑制することができる。
【００２１】
請求項４の画像形成装置によれば、請求項１または２または３と同様な効果が得られる。
【図面の簡単な説明】
【００２２】
【図１】本発明の実施形態の給紙トレイを示す側断面図である。
【図２】本発明の実施形態の給紙トレイの少ない量のシート材が載置された状態を示す側断面図である。
【図３】本発明の実施形態の給紙トレイにおけるエンドフェンス部分の斜視図である。
【図４】本発明の実施形態の給紙トレイにおけるエンドフェンス部分の側断面図である。
【図５】本発明の実施形態の給紙トレイにシート材が満載されたときの作用説明図である。
【図６】本発明の実施形態の給紙トレイにシート材が半分以下だけ載置されたときの作用説明図である。
【図７】本発明の実施形態が画像形成装置の模式図である。
【発明を実施するための形態】
【００２３】
次に、本発明の給紙トレイ及び画像形成装置の実施の形態を図面を参照して説明する。図１は本発明の実施形態の給紙トレイを示す側断面図、図２は実施形態の給紙トレイの少ない量のシート材が載置された状態を示す側断面図、図３は実施形態の給紙トレイにおけるエンドフェンス部分の斜視図、図４は同エンドフェンス部分の側断面図、図５は実施形態の給紙トレイにシート材が満載されたときの作用説明図、図６は実施形態の給紙トレイにシート材が半分以下だけ載置されたときの作用説明図、図７は本発明の実施形態が画像形成装置の模式図である。
【００２４】
図７において、１００は実施形態の画像形成装置であり、１０は実施形態の給紙トレイ、２は給紙コロ、１１は中継搬送部、１２は転写部、１３は定着部、１４は排紙部、１５は排紙トレイである。給紙トレイ１０には、転写紙等のシート材Ａが収納され、このシート材Ａは給紙コロ２により取り出され、中継搬送部１１を介して転写部１２に搬送される。転写部１２は感光ドラム等からなり、この感光ドラムに形成されたトナー像がシート材Ａに転写される。トナー像が転写されたシート材Ａは定着部１３に搬送され、この定着部１３でシート材Ａのトナー像が定着される。そして、定着部１３から送出されたシート材Ａは排紙部１４から排紙トレイ１５上に排紙される。上記転写部１２及び定着部１３は「画像形成手段」の一例である。
【００２５】
図１及び図２に示すように、給紙トレイ１０は、画像形成装置１００の本体へ出し入れ自在に形成された筺体１を本体とし、この筺体１に、回動支点３ａを有する底板３と、底板３の側部の隣接した位置に立設されたサイドフェンス４と、筺体１の先端側に位置するシート材先端規制部材５と、筺体１の後部に配置されたエンドフェンス６とを備えている。
【００２６】
また、筺体１と底板３との間には、筺体１に回動支点３１ａを持つ加圧アーム３１が配設されており、この加圧アーム３１は図示しない弾性部材により、回動支点３１ａを中心にして底板３側に回動するように付勢される。これにより、図２に示すように底板３上に載置されたシート材Ａの最上部を給紙コロ２に所定の圧力で圧接させる。なお、図１は給紙トレイ１０を画像形成装置１００から引き出した状態であり、この状態では図示しない機構により加圧アーム３１の回動は規制されている。
【００２７】
エンドフェンス６は２つの加圧板７，８を備えている。加圧板７はシート材Ａの上方を加圧するコ字状の板部材であり、この上方を加圧する加圧板７はシート材Ａの積載高さＨ方向の中央に回動支点７ａを持っている。また、加圧板８はシート材Ａの下方を加圧するように、加圧板７のコ字状の間隙に配置された板部材であり、この下方を加圧する加圧板８はエンドフェンス６の上部に回動支点８ａを持っている。
【００２８】
また、上方を加圧する加圧板７の片端７ｂはシート材Ａの後端上部と接し、その裏側には弾性部材７１配置され、エンドフェンス６から弾性圧を受ける。また反対の端部７ｃには搬送方向側に弾性部材８１が配置され、弾性部材８１の片端は下方を加圧する加圧板８へ接続されている。
【００２９】
このように、給紙トレイ１０は、給紙筺体１に設けられ回動支点３ａを持ち積載されたシート材Ａの最上部を給紙コロ２に所定の圧力で圧接させる底板３と、シート材Ａの幅規制を行うサイドフェンス４と、シート材Ａの先端部の位置規制を行うシート材先端規制部材５と、シート材Ａの後端位置を規制し、積載されたシート材Ａの後端部上方、下方それぞれを弾性圧７１，８１によりシート材先端規制部材５へと押し当てる２つの加圧板７，８が設けられたエンドフェンス６により構成される。
【００３０】
次に、図５及び図６を参照して作用を説明する。図５に示すように、シート材Ａを満載すると、上方を加圧する加圧板７がシート材Ａによりエンドフェンス６側に押し込まれた状態になる。また、下方を加圧する加圧板８もシート材Ａによりエンドフェンス６側に押し込まれた状態になる。このとき上方を加圧する加圧板７は、その片端７ｂによりシート材先端規制部材５側に加圧される。また、この加圧板７の他方の片端７ｃはシート材Ａの後端方向へ移動し、弾性部材８１をシート材Ａ側へ押し込む。したがって、下方を加圧する加圧板８が受ける弾性部材８１からの弾性圧は大きくなり、下方を加圧する加圧板８がシート材Ａに加える加圧力は増大する。これにより、シート材Ａはシート材先端規制部材５側に加圧され、給紙コロ２により確実に給紙することができる。
【００３１】
シート材Ａの給紙が進んでシート材Ａの積層量が減少すると、上方を加圧する加圧板７がエンドフェンス６の弾性圧により次第に押し出される。そして、図６に示すように、シート材Ａの積載量が減少して上方を加圧する加圧板７の回動支点７ａよりもシート材Ａの最上面が低くなった場合は、上方の加圧板７は弾性部材７１の弾性圧によって片端７ｂが押し出された位置となる。このとき、上方を加圧する加圧板７の片端７ｃはシート材Ａと離れる方向に位置するため、その片端７ｃに設けられた弾性部材８１の端部もシート材Ａから遠ざかる。したがって、下方を加圧する加圧板８が受ける弾性部材８１からの弾性圧は小さくなり、下方を加圧する加圧板８の加圧力は低下する。
【００３２】
このような構成により底板３に積載されたシート材Ａはシート材Ａが１枚１枚給紙されるに伴い、エンドフェンス６に設けられた加圧板７，８によりシート材先端規制部材５方向へと押し当てられ、積載するシート材Ａの積載量が変化してもシート材先端規制部材５からシート材Ｐの先端部が離れることなく、また、シート材Ａの積層量が減少しても、シート材Ａ自体が加圧板８により湾曲されることなく、画像形成装置１００の本体内部へと給紙されていく。
【符号の説明】
【００３３】
１      筺体
２      給紙コロ
３      底板
３ａ    回動支点
４      サイドフェンス
５      シート材先端規制部材
６      エンドフェンス
７      上方を加圧する加圧板
８      下方を加圧する加圧板
１０    給紙トレイ
７１    弾性部材
８１    弾性部材
１００  画像形成装置
Ａ      シート材
【先行技術文献】
【特許文献】
【００３４】
【特許文献１】特開平９−６７０２８号公報
【特許文献２】特開２０００−９５３５６号公報
【特許文献３】特開２００２−８０１２８号公報
【図１】
2010202378.tif 000003
【図２】
2010202378.tif 000004
【図３】
2010202378.tif 000005
【図４】
2010202378.tif 000006
【図５】
2010202378.tif 000007
【図６】
2010202378.tif 000008
【図７】
2010202378.tif 000009